(57)【特許請求の範囲】
【請求項１】
被検出部材の一方及び他方への移動により前記一方及び他方へ移動される移動部材と、
前記移動部材の移動軌跡に対向して配置されると共に、前記移動部材の移動方向に対して傾斜して形成された傾斜溝を有する移動方向変換部材と、
前記移動部材に対して前記移動部材の移動方向と直交する方向へ移動可能に支持されると共に、前記移動方向変換部材の前記傾斜溝に直接的又は間接的に係合し、前記移動部材が移動した際には前記傾斜溝に沿って移動される永久磁石と、
前記永久磁石の移動軌跡に対向して設けられ、前記永久磁石が移動することで自らを横切る磁力線の磁束密度が変化しＯＮ／ＯＦＦ状態が切り換わる磁気センサと、
を備えたスイッチ装置。
【発明の詳細な説明】
【技術分野】
【０００１】
本発明は、スイッチ装置に関し、特に、永久磁石と磁気センサを用いたスイッチ装置に関する。
【背景技術】
【０００２】
従来、永久磁石と磁気センサ（例えば、ＭＲＥ素子などの磁気センサ）を用いた無接点のＯＮ／ＯＦＦスイッチ装置が知られており、このようなスイッチ装置は、例えば車両用のシートベルト装置を構成するバックル装置などに適用されている（例えば、特許文献１参照）。
【０００３】
前記特許文献に示されたバックル装置では、シートベルトに取り付けられたタングプレート（被検出部材）が装置内部に挿入されると、装置内部に設けられたイジェクタがタングプレートに押圧されて移動する。イジェクタの先端にはスイッチ装置を構成する永久磁石が取り付けられており、イジェクタ（永久磁石）の前方には磁気センサが配置されている。このため、永久磁石の移動に伴って磁気センサを横切る磁力線の磁束密度が変化するようになっており、タングプレートがバックル装置の所定位置（ラッチによるロック位置）まで挿入されると、永久磁石による所定の閾値以上の磁界が磁気センサに作用し、これにより、磁気センサがＯＮ状態になる構成となっている。
【０００４】
ところで、上記構成のバックル装置（スイッチ装置）では、永久磁石の移動量はイジェクタの移動量に対応しており、イジェクタの移動量はタングプレートとの関係などを含めたバックル装置自体の設定によりある一定の値に決定される。このため、永久磁石の移動量（すなわち、磁気センサを横切る磁力線の磁束密度の変化量）を充分に確保することが困難な場合があり、磁気センサのＯＮ／ＯＦＦ状態の切り換え精度が悪化する場合がある。
【特許文献１】特開２００３−１２５８１２号公報
【発明の開示】
【発明が解決しようとする課題】
【０００５】
本発明は上記事実を考慮し、磁気センサのＯＮ／ＯＦＦ状態の切り換え精度が向上するスイッチ装置を得ることが目的である。
【課題を解決するための手段】
【０００６】
上記課題を解決するために、請求項１に係る発明のスイッチ装置は、被検出部材の一方及び他方への移動により前記一方及び他方へ移動される移動部材と、前記移動部材の移動軌跡に対向して配置されると共に、前記移動部材の移動方向に対して傾斜して形成された傾斜溝を有する移動方向変換部材と、前記移動部材に対して前記移動部材の移動方向と直交する方向へ移動可能に支持されると共に、前記傾斜溝に直接的又は間接的に係合し、前記移動部材が移動した際には前記傾斜溝に沿って移動される永久磁石と、前記永久磁石の移動軌跡に対向して設けられ、前記永久磁石が移動することで自らを横切る磁力線の磁束密度が変化しＯＮ／ＯＦＦ状態が切り換わる磁気センサと、を備えたことを特徴としている。
【０００７】
請求項１記載のスイッチ装置では、被検出部材の移動により移動部材が一方及び他方へ移動されると、移動部材に対して該移動部材の移動方向と直交する方向へ移動可能に支持された永久磁石が移動部材と共に移動される。この永久磁石は移動方向変換部材に形成された傾斜溝に直接的又は間接的に係合しており、この傾斜溝は移動部材の移動方向に対して傾斜して形成されている。このため、移動部材が移動すると、永久磁石は移動部材に対して該移動部材の移動方向と直交する方向へ移動しつつ、移動方向変換部材の傾斜溝に沿って移動部材の移動方向に対して斜めに移動される。これにより、磁気センサを横切る磁力線の磁束密度が変化し、磁気センサのＯＮ／ＯＦＦ状態が切り換わる。
【０００８】
ここで、このスイッチ装置では、永久磁石の移動方向は、移動方向変換部材の傾斜溝によって移動部材の移動方向に対して傾斜した方向に変換される。したがって、永久磁石を単純に移動部材（被検出部材）の移動方向へ移動させる場合に比べて、永久磁石の移動量を移動部材（被検出部材）の移動量よりも長く確保することができ、しかも、永久磁石の移動速度を速くすることができる。したがって、磁気センサを横切る磁力線の磁束密度の変化量（磁場変化）を大きくできると共に、磁気センサに作用する磁力を急峻に変化させることができる。これにより、磁気センサのＯＮ／ＯＦＦ状態の切り換え精度が向上する。
【発明の効果】
【０００９】
以上説明した如く、本発明のスイッチ装置では、磁気センサのＯＮ／ＯＦＦ状態の切り換え精度が向上する。
【発明を実施するための最良の形態】
【００１０】
図９には、本発明の実施の形態に係るスイッチ装置１０が適用されて構成されたバックル装置２１０の構成が分解斜視図にて示されている。また、図７及び図８には、このバックル装置２１０の構成が断面図にて示されている。
【００１１】
図７及び図８に示すように、バックル装置２１０はケース２１４を備えている。ケース２１４は長手方向両端が開口した箱形の筒状部材とされており、その長手方向一端側（矢印Ａ方向側）の開口はアンカ挿入口２１６とされ、長手方向他端側（矢印Ｂ方向側）の開口はタング挿入口２１８とされている。また、ケース２１４の内側にはベース２２０が収容されている。
【００１２】
ベース２２０はケース２１４の長手方向に沿って長手とされた平板状の底板２２２を備えている。底板２２２の長手方向一端側にはアンカ部材としての略板状のアンカプレート２２４が重ね合わされており、底板２２２に形成された透孔２２６と、底板２２２の長手方向に沿って長手とされたアンカプレート２２４に形成された長孔２２８と、を貫通するリベット２３０により、底板２２２とアンカプレート２２４とが機械的に連結されている。アンカプレート２２４はその他端側が車両の座席の側方で車体（何れも図示省略）に固定されており、これにより本バックル装置２１０が車両に取り付けられている。
【００１３】
一方、底板２２２の幅方向両端部からは底板２２２の厚さ方向に側壁２３２が立設されており、側壁２３２の間には被検出部材としてのイジェクタ２３４が配置されている。イジェクタ２３４の一部は底板２２２に形成されたガイド孔２３６に係合しており、ガイド孔２３６に沿って底板２２２の長手方向に所定範囲スライド可能とされている。
【００１４】
また、底板２２２の長手方向一方の側でのガイド孔２３６の端部からは、係合突起２３８が突出形成されており、圧縮コイルスプリング２４０の一端が係止されている。圧縮コイルスプリング２４０の他端はイジェクタ２３４の一端へ圧接されており、圧縮コイルスプリング２４０の付勢力によりイジェクタ２３４は底板２２２の長手方向他端側へ付勢されている。
【００１５】
一方、バックル装置２１０はラッチ２５０を備えている。ラッチ２５０は基部２５２を備えている。ラッチ２５０の姿勢にもよるが、基部２５２は概ね両側壁２３２の対向方向に沿って長手方向で、底板２２２の長手方向に沿って厚さ方向とされた平板状に形成されており、その長手方向両端部は両側壁２３２に形成された支持部としての支持孔２５４に入り込んでいる。基部２５２（すなわち、ラッチ２５０）は支持孔２５４の内周部に干渉されるまで基部２５２の長手方向を軸方向として所定角度回動可能に支持されている。
【００１６】
また、基部２５２の長手方向中間部側の幅方向一端からは、基部２５２の幅方向一方へ向けて平板状の連結部２５６が延出されており、更に、連結部２５６の基部２５２とは反対側からは、底板２２２側へ向けて係合片２５８が延出されている。
【００１７】
係合片２５８の先端部（より詳細に言えば、連結部２５６との連結部分側とは反対側の端部）は、底板２２２に形成された貫通孔２６０に対応しており、ラッチ２５０が変位することにより、係合片２５８が貫通孔２６０に入り込むことができる。
【００１８】
ラッチ２５０の係合片２５８の先端部に対応して上述したイジェクタ２３４の厚さ方向一方（底板２２２とは反対側）の面には、載置片２６２が一体的に設けられている。上述したように、イジェクタ２３４には圧縮コイルスプリング２４０の付勢力が作用している。
【００１９】
但し、基本的に圧縮コイルスプリング２４０の付勢力以外の外力が作用していない状態での到達位置にイジェクタ２３４が位置している状態で、概ね、底板２２２の厚さ方向に沿って係合片２５８の先端部と対向するように載置片２６２が設けられており、係合片２５８の先端部との対向状態で載置片２６２は係合片２５８の先端部に干渉して底板２２２へ接近する方向への係合片２５８の移動（すなわち、ラッチ２５０の移動）を規制する。
【００２０】
また、基部２５２の長手方向両端側からはストッパ２６４が延出されている。ストッパ２６４は、先端側が圧縮コイルスプリング２４０の付勢力に抗したイジェクタ２３４のスライド軌跡上に位置するように形成されており、圧縮コイルスプリング２４０の付勢力に抗してイジェクタ２３４が所定距離スライドすると、イジェクタ２３４がストッパ２６４に当接する。
【００２１】
さらに、ラッチ２５０の連結部２５６を介してベース２２０の底板２２２とは反対側にはロック部材２７０が配置されている。ロック部材２７０は基部２７２を備えている。基部２７２は両側壁２３２の対向方向に沿って長手方向とされた略角棒状とされている。
【００２２】
基部２７２の両端部は両側壁２３２に形成された係合孔２７４に入り込んでいる。係合孔２７４は貫通孔２６０よりも側壁２３２の長手方向他端側に形成されており、基部２７２は自らの長手方向を軸周りに回動可能に側壁２３２に支持されている。基部２５２の長手方向両端側には一対の略扇状のロック片２７６が形成されている。ロック片２７６は連結部２５６（ラッチ２５０）の幅方向両端部から延出された当接片２７８に対応しており、ロック片２７６は当接片２７８に当接している。
【００２３】
また、基部２７２の長手方向中間部には当接部２８０が形成されている。当接部２８０は、ラッチ２５０の係合片２５８が底板２２２から離間した状態で係合片２５８に当接する。
【００２４】
一方、バックル装置２１０は解除ボタン２９０を備えている。解除ボタン２９０は操作用の押圧部２９２を備えている。押圧部２９２は押圧面が底板２２２の長手方向他端側へ向いた板状で、両側壁２３２の対向方向に沿って長手方向とされている。
【００２５】
押圧部２９２の長手方向両端近傍からは底板２２２の長手方向一端側へ向けて側壁２９４が延出されている。これらの側壁２９４は上述した側壁２３２の対向方向に沿って互いに対向していると共に、底板２２２とは反対側の端部が上壁２９６により連結され、全体的には底板２２２へ向けて開口した凹形状とされている。
【００２６】
両側壁２９４の押圧部２９２とは反対側の端部からは、それぞれアーム２９８が側壁２９４の対向方向に沿って互いに対向するように延出されている。両アーム２９８の先端部には、他方のアーム２９８へ向けて係合突起３００が形成されており、側壁２３２に形成されたガイド孔３０２に入り込んでいる。ガイド孔３０２は底板２２２の長手方向に沿って長手の長孔とされている。係合突起３００はガイド孔３０２の内周部によって底板２２２の長手方向に沿って所定範囲変位可能とされており、これにより、ガイド孔３０２によって解除ボタン２９０の移動方向が底板２２２の長手方向に規制されている。
【００２７】
また、押圧部２９２とロック部材２７０との間には、ストッパ３１０が配置されている。ストッパ３１０は、側壁２９４の対向方向に沿って長手方向とされた板状の基部３１２を備えている。基部３１２の長手方向両端側には、基部３１２の長手方向に沿ってみた場合に底板２２２へ向けて開口した凹形状の一対の係合片３１４が形成されており、これらの係合片３１４が上述したロック部材２７０の基部２７２に係合することでストッパ３１０がロック部材２７０に支持されている。
【００２８】
さらに、ストッパ３１０の両係合片３１４の近傍には、上述した解除ボタン２９０の係合突起３００へ干渉可能に干渉部３１６が形成されている。
【００２９】
また、ストッパ３１０と解除ボタン２９０の押圧部２９２との間には、圧縮コイルスプリング３１８が配置されており、その一端は押圧部２９２の押圧面とは反対側へ当接している。これに対して圧縮コイルスプリング３１８の他端はストッパ３１０の基部３１２に当接しており、これによって、ストッパ３１０を押圧部２９２から離間させる方向へ付勢している。
【００３０】
（タングプレート３３０の構成）
一方、上述した側壁２３２の間には底板２２２の長手方向他端側からタングプレート３３０が挿入される。図９に示されるように、タングプレート３３０は金属板材により形成された基部３３２を備えている。基部３３２にはタングプレート３３０が側壁２３２の間に挿入された状態で側壁２３２の対向方向に沿って長手となるスリット孔３３４が形成されており、長尺帯状のウエビングベルト３４０の長手方向中間部が挿通される。
【００３１】
ウエビングベルト３４０はその基端部が図示しないウエビング巻取装置の巻取軸に係止されており、ウエビングベルト３４０を巻き取る方向へ巻取軸を付勢するための渦巻きコイルばね等の巻取軸付勢手段の収納付勢力がウエビングベルト３４０に作用している。
【００３２】
また、基部３３２には挿入板部３３６が形成されている。挿入板部３３６は幅寸法が側壁２３２の間隔よりも小さく、実際にはタングプレート３３０のうち、挿入板部３３６が側壁２３２の間に挿入されることになる（図７参照）。
【００３３】
挿入板部３３６には厚さ方向に貫通した貫通孔３３８が形成されており、挿入板部３３６が側壁２３２の間で底板２２２の長手方向一端側の所定位置に達した状態では、上述した係合片２５８が貫通可能となり、貫通孔３３８に係合片２５８が貫通することで、バックル装置２１０からのタングプレート３３０の抜き出しが規制されるようになっている。
【００３４】
（スイッチ装置１０の構成）
一方、図７乃至図９に示されるように、本バックル装置２１０は、スイッチ装置１０を備えている。スイッチ装置１０は、底板２２２を介してラッチ２５０とは反対側に配置されており、図１乃至図３に示す如く、角棒状に形成された移動部材１２を備えている。移動部材１２は、その長手方向がイジェクタ２３４の移動方向に対して直交する状態で配置されており、ケース２１４に対して所定の範囲内でスライド可能に支持されている。この移動部材１２は、イジェクタ２３４に形成された連結部２３５を介してイジェクタ２３４と一体的に連結されており、イジェクタ２３４と共に底板２２２の長手方向一端側（矢印Ａ方向側）及び長手方向他端側（矢印Ｂ方向側）へ移動する構成となっている。
【００３５】
また、移動部材１２は、その長手方向に沿って形成された断面逆Ｔ字状の案内溝１４を備えており、この案内溝１４は、円柱状に形成された支持部材１６に対応している。図２に示す如く、支持部材１６の長手方向一端部（図２では矢印Ｙ方向の端部）には、径方向に突出する取付部１８が形成されており、この取付部１８が案内溝１４に移動可能に嵌め込まれている。これにより、支持部材１６は、移動部材１２に対して案内溝１４に沿って（移動部材１２の移動方向に対して直交する方向、図２の矢印Ｃ方向及び矢印Ｄ方向へ）移動可能に支持されている。さらに、支持部材１６の長手方向他端部（図２では矢印Ｘ方向の端部）には、永久磁石２０が固定されている。
【００３６】
移動部材１２と永久磁石２０との間には、板状に形成された移動方向案内部材２２が設けられている。移動方向案内部材２２は、図示しないステーによって移動部材１２の移動軌跡に対向する状態（移動部材１２に対して図２の矢印Ｘ方向側に所定距離離間し、板厚方向が図２の矢印Ｘ方向及び矢印Ｙ方向に沿うように配置された状態）でケース２１４に支持されている。移動方向案内部材２２には、移動部材１２の移動方向に対して傾斜して形成されたスリット状の傾斜溝２４が形成されている。この傾斜溝２４には、支持部材１６の長手方向中間部が貫通しており、支持部材１６は、傾斜溝２４に沿って移動可能とされている。
【００３７】
ここで、このスイッチ装置１０では、イジェクタ２３４が底板２２２の長手方向他端側（矢印Ｂ方向側）に位置する状態では、支持部材１６及び永久磁石２０は、図３（Ａ）に示す如く、案内溝１４の長手方向一端側（矢印Ｄ方向側）でかつ傾斜溝２４の長手方向一端側（矢印Ｆ方向側）に配置される構成となっている。そして、イジェクタ２３４が底板２２２の長手方向一端側（矢印Ａ方向側）へ移動すると、これに連動して移動部材１２が底板２２２の長手方向一端側（矢印Ａ方向側）へ移動し、支持部材１６及び永久磁石２０は、移動部材１２に対して案内溝１４に沿ってその長手方向他端側（矢印Ｃ方向側）へ移動しつつ、移動方向案内部材２２に対して傾斜溝２４に沿って該傾斜溝２４の長手方向他端側（矢印Ｅ方向側）へ移動する構成となっている（図３（Ｂ）参照）。
【００３８】
一方、底板２２２の長手方向一端側（矢印Ａ方向側）に位置するイジェクタ２３４が底板２２２の長手方向他端側（矢印Ｂ方向）へ移動すると、これに連動して移動部材１２が底板２２２の長手方向他端側へ移動し、支持部材１６及び永久磁石２０は、移動部材１２に対して案内溝１４に沿ってその長手方向一端側（矢印Ｄ方向側）へ移動しつつ、移動方向案内部材２２に対して傾斜溝２４に沿って該傾斜溝２４の長手方向一端側（矢印Ｆ方向側）へ移動する構成となっている。
【００３９】
さらに、このスイッチ装置１０では、移動方向案内部材２２を介して永久磁石２０とは反対側に設けられた磁気センサ（例えば、ＧＭＲ素子、ＭＲＥ素子、ホール素子など）２６を備えている。磁気センサ２６は、図示しないステーを介してケース２１４に支持されており、永久磁石２０の移動規制に対向して配置されている（本実施の形態では、傾斜溝２４の長手方向一端側（矢印Ｆ方向側）に支持部材１６及び永久磁石２０が配置された状態で永久磁石２０に対して図２の矢印Ｘ方向へ所定距離離間する位置に配置されている）。この状態では、磁気センサ２６を横切る磁力線の磁束密度が所定値以上になり、磁気センサ２６がＯＮ状態になる構成となっている。
【００４０】
また、支持部材１６及び永久磁石２０が傾斜溝２４の長手方向他端側（矢印Ｅ方向側）に配置された状態では、永久磁石２０が磁気センサ２６から離間することで、磁気センサ２６を横切る磁力線の磁束密度が所定値未満になり、磁気センサ２６がＯＦＦ状態になる構成となっている。
【００４１】
さらに、図４に示すように、磁気センサ２６を含めて構成される電気回路２８には、制御回路３０が設けられている。制御回路３０は、磁気センサ２６及び車両のインスツルメントパネル（図示省略）に設けられたインジケータ３２に接続されており、磁気センサ２６のＯＮ／ＯＦＦ状態に基づいてインジケータ３２を点灯させ、或いは消灯させる。
【００４２】
次に、本実施の形態の作用並びに効果について説明する。
【００４３】
（バックル装置２１０の動作）
本バックル装置２１０では、図８に示される非装着状態でタングプレート３３０の挿入板部３３６をケース２１４のタング挿入口２１８から挿入すると、図７に示されるように、挿入板部３３６の先端部がイジェクタ２３４の端部に当接して押圧し、圧縮コイルスプリング２４０の付勢力に抗してイジェクタ２３４を底板２２２の長手方向一端側へスライドさせる。
【００４４】
イジェクタ２３４が底板２２２の長手方向一端側へ所定量スライドすると、イジェクタ２３４の載置片２６２とラッチ２５０の係合片２５８との対向状態が解除されると共に、イジェクタ２３４がラッチ２５０のストッパ２６４を押圧して、ラッチ２５０を回動させる。
【００４５】
これにより、係合片２５８の先端部が底板２２２へ接近移動する。また、この状態では、挿入板部３３６の貫通孔３３８と、底板２２２に形成された貫通孔２６０とが重なり合う。したがって、この状態では図７に示されるように、回動した係合片２５８が挿入板部３３６の貫通孔３３８と底板２２２の貫通孔２６０を貫通する。
【００４６】
また、ラッチ２５０が回動することで、ラッチ２５０の係合片２５８とロック部材２７０の当接部２８０との当接状態が解除される。ここで、ロック片２７６はストッパ３１０を介して圧縮コイルスプリング３１８の付勢力を受けるため、ラッチ２５０の回動に連動するように圧縮コイルスプリング３１８の付勢力でロック部材２７０が回動し、ロック片２７６がラッチ２５０の当接片２７８に当接する。このため、係合片２５８が底板２２２から離間する方向へのラッチ２５０の回動が規制され、これにより、バックル装置２１０に対するタングプレート３３０の装着状態となる。
【００４７】
このタングプレート３３０の装着状態が、座席に着座した乗員の前方にウエビングベルト３４０が位置するように巻取軸を付勢する渦巻きコイルばね等の巻取軸付勢手段の収納付勢力に抗してウエビングベルト３４０を引っ張ってからのタングプレート３３０の装着状態であれば、これはウエビングベルト３４０による「身体拘束状態」となり、ウエビングベルト３４０が乗員を拘束する。
【００４８】
（本実施の形態の特徴的な作用、効果）
ここで、図８に示されるように、タングプレート３３０の挿入板部３３６をケース２１４に挿入していない状態（イジェクタ２３４が底板２２２の長手方向他端側に位置する状態）では、図３（Ａ）に示されるように、スイッチ装置１０の永久磁石２０と磁気センサ２６とが対向（接近）している。この状態では、磁気センサ２６を横切る磁力線の磁束密度が所定値以上に増加しているため、磁気センサ２６はＯＮ状態になっており、制御回路３０はインジケータ３２を点灯させている。
【００４９】
一方、タングプレート３３０の挿入板部３３６をケース２１４に挿入することでタングプレート３３０がイジェクタ２３４を押圧すると、イジェクタ２３４が底板２２２の長手方向一端側（矢印Ａ方向）へ移動する。このため、イジェクタ２３４の連結部２３５に連結された移動部材１２が底板２２２の長手方向一端側へ移動され、支持部材１６及び永久磁石２０は、移動部材１２に対して案内溝１４に沿ってその長手方向一端側（矢印Ｃ方向側）へ移動しつつ、移動方向案内部材２２に対して傾斜溝２４に沿って該傾斜溝２４の長手方向一端側（矢印Ｅ方向側）へ移動する。これにより、永久磁石２０が磁気センサ２６から離間する（図３（Ｂ）図示状態）。このため、磁気センサ２６を横切る磁力線の磁束密度が所定値未満に減少するので、磁気センサ２６がＯＦＦ状態になり、制御回路３０がインジケータ３２を消灯させる。
【００５０】
このように、係合片２５８が貫通孔３３８に係合した状態（ウエビングベルト３４０の装着状態）で、上記のようにインジケータ３２が消灯していれば、ウエビングベルト３４０による身体拘束状態であるとみなすことができる。すなわち、インジケータ３２が点灯している限りは基本的にウエビングベルト３４０による身体拘束状態でないため、インジケータ３７２の点灯によってウエビングベルト３４０による身体拘束状態ではないと車両の乗員に警告できる。
【００５１】
またここで、本実施の形態に係るスイッチ装置１０では、永久磁石２０の磁気センサ２６に対する接離移動の方向は、移動方向変換部材２２の傾斜溝２４によって移動部材１２（イジェクタ２３４）の移動方向（矢印Ａ方向及び矢印Ｂ方向）に対し傾斜した方向に変換される。したがって、永久磁石２０を単純にイジェクタ２３４の移動方向へ移動させる場合に比べて、永久磁石２０の移動量を移動部材１２（イジェクタ２３４）の移動量よりも長く確保できると共に、永久磁石２０の移動速度を速くすることができる。したがって、磁気センサ２６を横切る磁力線の磁束密度の変化量（磁場変化）を大きくできると共に、磁気センサ２６に作用する磁力を急峻に変化させることができる。これにより、磁気センサ２６の切り換え精度が向上する。
【００５２】
特に、ＧＭＲ素子、ＭＲＥ素子、ホール素子などの磁気センサでは、ＯＮ／ＯＦＦ操作（本実施の形態では、イジェクタ２３４の移動）によるセンサ位置（磁気センサ２６の位置）での磁場変化が緩やかであると、温度変化によりセンサ出力が変化した時に、ある閾値で判別するＯＮ／ＯＦＦの切り換わり点が本来の位置から大きくずれてしまう。広い温度範囲で精度良くＯＮ／ＯＦＦの切り換わり点を検出するには、ＯＮ／ＯＦＦ操作でセンサ位置での磁場が急峻に変化することが求められる。
【００５３】
すなわち、ＯＮ／ＯＦＦ操作によるセンサ位置での磁場変化が緩やな場合には、磁気センサの出力は、図５に実線で示すように緩やかに変化するが、この場合、温度変動で出力が図５に点線で示すようにずれると、永久磁石の移動範囲の全てに対してＶｔｈ（磁気センサのＯＮ／ＯＦＦ状態が切り換わる閾値）が成立しなくなる（図５の矢印Ｐ参照）。
【００５４】
これに対し、ＯＮ／ＯＦＦ操作によるセンサ位置での磁場変化が急峻な場合には、磁気センサの出力は、図６に実線で示すように急峻に変化するが、この場合、温度変動で出力が図６に点線で示すようにずれても、永久磁石の移動範囲の全てに対してＶｔｈ（磁気センサのＯＮ／ＯＦＦ状態が切り換わる閾値）が成立する。
【００５５】
この点、本実施の形態に係るスイッチ装置１０では、上述の如く、急峻な磁場変化を得ることができるので、センサ出力が急峻に変化し、温度特性が向上する。これにより、スイッチのＯＮ／ＯＦＦ状態を広い温度範囲で精度良く判別できる。
【００５６】
以上説明した如く、本発明の実施の形態に係るスイッチ装置１０（バックル装置２１０）では、磁気センサ２６のＯＮ／ＯＦＦ状態の切り換え精度が向上する。
【００５７】
なお、上記実施の形態に係るスイッチ装置１０では、永久磁石２０と磁気センサ２６とが接近した状態で磁気センサ２６がＯＮ状態になる構成としたが、これに限らず、永久磁石２０と磁気センサ２６とが接近した状態で磁気センサ２６がＯＦＦ状態になる構成としてもよい。
【００５８】
また、上記実施の形態に係るスイッチ装置１０では、磁気センサ２６が傾斜溝２４の長手方向一端側（矢印Ｆ方向側）に対向する位置に配置された構成としたが、これに限らず、磁気センサ２６が傾斜溝２４の長手方向他端側（矢印Ｅ方向側）に対向する位置に配置された構成としてもよい。すなわち、タングプレート３３０の挿入板部３３６をケース２１４に挿入していない状態（イジェクタ２３４が底板２２２の長手方向他端側に位置する状態）では、磁気センサ２６がＯＦＦ状態になり、タングプレート３３０の挿入板部３３６をケース２１４に挿入した状態（イジェクタ２３４が底板２２２の長手方向一端側に位置する状態）では、磁気センサ２６がＯＮ状態になる構成としてもよい。
【００５９】
さらに、上記実施の形態に係るスイッチ装置１０は、バックル装置２１０に適用された構成としたが、これに限らず、本発明のスイッチ装置は、ニュートラルポジションスイッチ、ストップランプスイッチ、プッシュスタートスイッチ、カーテシスイッチなどに適用することができる。
【図面の簡単な説明】
【００６０】
【図１】本発明の実施の形態に係るスイッチ装置の構成を示す斜視図である。
【図２】本発明の実施の形態に係るスイッチ装置の構成を示す側面図である。
【図３】本発明の実施の形態に係るスイッチ装置の構成を示し、（Ａ）は永久磁石が磁気センサに接近した状態を示す平面図であり、（Ｂ）は永久磁石が磁気センサから離間した状態を示す平面図である。
【図４】本発明の実施の形態に係るスイッチ装置が適用されて構成されたバックル装置の電気回路の構成を示す断面図である。
【図５】磁場変化が緩やかな場合における永久磁石の移動範囲と磁気センサの出力と該磁気センサのセンサ出力の閾値との関係を示す線図である。
【図６】磁場変化が急峻な場合における永久磁石の移動範囲と磁気センサの出力と該磁気センサのセンサ出力の閾値との関係を示す線図である。
【図７】本発明の実施の形態に係るスイッチ装置が適用されて構成されたバックル装置の構成を示す断面図である。
【図８】本発明の実施の形態に係るスイッチ装置が適用されて構成されたバックル装置の構成を示す断面図である。
【図９】本発明の実施の形態に係るスイッチ装置が適用されて構成されたバックル装置の構成を示す分解斜視図である。
【符号の説明】
【００６１】
１０          スイッチ装置
１２          移動部材
１４          案内溝
１６          支持部材
２０          永久磁石
２２          移動方向変換部材
２４          傾斜溝
２６          磁気センサ
【図１】
0004526452.tif 000002
【図２】
0004526452.tif 000003
【図３】
0004526452.tif 000004
【図４】
0004526452.tif 000005
【図５】
0004526452.tif 000006
【図６】
0004526452.tif 000007
【図７】
0004526452.tif 000008
【図８】
0004526452.tif 000009
【図９】
0004526452.tif 000010